(57)【要約】【課題】複数のプロジェクタを用いたマルチ表示システムを構築する際、重くて扱いにくいケーブルや非常に高価な映像拡大機が必要である。【解決手段】複数のプロジェクタに対して、画像データをプロジェクタの位置情報に合わせて分割し、切り出した画像データ位置情報とプロジェクタの識別情報とを関連付け、ネットワークを介して、送信する画像データが対応するプロジェクタにのみ伝送を行うことで、重くて扱いにくいＲＧＢケーブルや高価な映像拡大機を使うことなく、容易にマルチ表示システムを構築できる。【選択図】図１
2006284990.tif 000002
【特許請求の範囲】
【請求項１】
画像送信装置と複数の画像投影装置とをネットワークを介して構成した画像伝送マルチ表示システムであって、
前記画像送信装置は、
マルチ表示画面上での表示位置と前記複数の画像投影装置を関連付ける位置情報を入力する位置情報入力手段と、
画像データを生成する画像データ生成手段と、
マルチ表示システムを構成する前記画像投影装置の台数にしたがって前記画像データ生成手段により生成された画像データを所定の数に分割する、あるいは所定の画面サイズに拡大縮小する画像データ加工手段と、
前記画像データ加工手段より供給される分割、あるいは拡大縮小された複数の画像データのうち、前記位置情報入力手段により関連付けられた各画像投影装置に対応する画像データを送信する画像データ送信手段と、
前記画像投影装置は、
前記ネットワークより画像データを受信する画像データ受信手段と、
前記画像データ受信手段により受信された画像データを映像信号として投射する映像投射手段と
を有することを特徴とする画像伝送マルチ表示システム。
【請求項２】
前記複数の画像統制装置から投影される投影画像の画像端を重ねて１つの投影画像として表示する場合に、前記画像データ加工手段が、重複して表示されている部分の画像データに対してブレンディング処理を行う画像処理手段を更に具備することを特徴とする請求項１記載の画像伝送マルチシステム。
【発明の詳細な説明】
【技術分野】
【０００１】
本発明は、画像送信装置で生成、分割、定められたあて先へ伝送された画像データを複数の画像投影装置で受信し、画像データを投影させる画像伝送マルチ表示システムに関し、パーソナルコンピュータ（以下「ＰＣ」と表記する。）等の画像生成装置から複数のプロジェクタ等の画像投影装置にネットワークを介して送信し、マルチ表示を行う画像伝送マルチ表示システムに関するものである。
【背景技術】
【０００２】
近年、ＰＣから画像データを受信して、ＰＣの画面をスクリーン等に投影させるプロジェクタの普及が進んでいる。
【０００３】
このプロジェクタは、ＰＣで編集したプレゼンテーション資料をスクリーン上に投影させることにより、伝えたい内容を大きく表示できるので会議や研修会等で多用されている。
【０００４】
また最近では、大画面化の要望により、プロジェクタを複数台組み合わせることにより大画面画像の表示を可能とするマルチ表示システムが大ホールで行われる会議や研修会等求められている。
【０００５】
以下に従来の画像伝送マルチ表示システムを説明する。
【０００６】
従来、画像伝送マルチ表示システムは特許文献１に記載されたものが知られている。
【０００７】
図１１は従来の画像伝送マルチ表示システムの構成を示すブロック図を示すものである。
【０００８】
図１１において、従来の画像伝送マルチ表示システムは、画像データを作成、送信するデータ送信装置１００１と、データ送信装置１００１から送信された画像データを受信する第１及び第２のデータ受信装置１００２、１００３とを有し、データ送信装置１００１と第１及び第２のデータ受信装置１００２、１００３とは、マルチキャスト機能を備えたネットワーク１００４で接続されている。なお、図１１では、ネットワーク１００４には２つのデータ受信装置１００２、１００３が接続されているが、３つ以上のデータ受信装置が接続されていても構わない。
【０００９】
データ送信装置１００１は、画像データを作成する画像データ作成手段１００５と、その画像データ作成手段１００５によって作成された画像データを複数の（図１１では２つの）表示要素に分割する画像データ分割手段１００６と、その画像データ分割手段１００６によって分割された各要素に基づいて表示要素データを作成するとともに、作成された表示要素データをネットワーク１００４に送信する第１及び第２の表示要素データ送信手段１００７、１００８と、を有する。
【００１０】
第１及び第２のデータ受信装置１００２、１００３は、ネットワーク１００４内のチャネルの中から１つのチャネルまたは任意に組み合わせた複数のチャネルを選択して所望の表示要素分データ分を受信するとともに、受信された表示要素データを合成する表示要素データ受信合成手段１００９、１０１０と、その表示要素データ受信合成手段１００９、１０１０によって合成されたデータに基づいて画像データを生成する画像データ作成手段１０１１、１０１２と、その画像データ作成手段１０１１、１０１２によって作成された画像データをディスプレイ１０１５、１０１６に表示する画面表示手段１０１３、１０１４を有する。
【００１１】
第１のデータ受信装置１００２の表示要素データ受信合成手段１００９は、第１及び第２の表示要素データを受信し、第２のデータ受信装置１００３の表示要素データ受信手段１０１０は、第２の表示要素データだけを受信する。
【００１２】
データ送信装置１００１は、その画像データ作成手段１００５で作成された画像データを画像データ分割手段１００６によって２つの表示要素に分割する。第１及び第２の表示要素データ送信手段１００７、１００８は、分割された表示要素データをネットワーク１００４に送信する。
【００１３】
各データはデータ受信装置１００２、１００３、ネットワーク１００４を介して受信した表示要素データを合成することで、送信元と同じデータを再現できる。
【００１４】
第１のデータ受信装置１００２は、その表示要素データ受信合成手段１００９により、２つのチャネルから第１及び第２の表示要素データを受信して合成し、画像データ作成手段１０１１により画像データを作成し、画像表示手段１０１３により、その画像データをディスプレイ１０１５に表示する。
【００１５】
第２のデータ受信装置１００３は、その表示要素データ受信合成手段１０１０により、１つのチャネルから第２の表示要素データを受信して合成し、画像データ作成手段１０１２により画像データを作成し、画像表示手段１０１４により、その画像データをディスプレイ１０１６に表示する。
【００１６】
なお、各データ受信装置１００２、１００３の受信チャネル数は、そのデータ受信装置１００２、１００３に接続されたディスプレイ１０１５、１０１６に表示させる能力に応じて決定される。
【００１７】
データ送信装置１００１によって生成された画像データを複数の表示要素に分割して送信し、データ受信装置１００２、１００３では、必要に応じて表示要素データを受信、合成するので、ネットワーク１００４の負荷を軽減することが可能である。
【特許文献１】特開２０００−２５９５２７号公報
【発明の開示】
【発明が解決しようとする課題】
【００１８】
しかしながら上記の従来の構成では、マルチ表示を行うにあたりデータ送信装置１００１より送信される表示要素データは、マルチキャストでネットワーク１００４を介してデータ受信装置１００２、１００３へ送信され、この各表示要素データは、元々同一の画像データより作成されているので、データ送信装置１００１より送信される画像と同一の画像がデータ受信装置１００２、１００３に接続されたディスプレイ１０１５、１０１６で表示されるが、ディスプレイ１０１５、１０１６を用いてのマルチ表示を行うことができないという問題点を有していた。
【００１９】
本発明は上記の従来の問題点を解決するもので、画像送信装置が切り出した画像データの位置と画像投射装置の持っている位置情報とが相対的に一致しているときのみ、
画像データを送信することにより、マルチ表示を可能とする画像伝送マルチシステムを提供することを目的とする。
【課題を解決するための手段】
【００２０】
本発明の請求項１に記載の発明は、画像送信装置と複数の画像投影装置とをネットワークを介して構成した画像伝送マルチ表示システムであって、前記画像送信装置は、マルチ表示画面上での表示位置と前記複数の画像投影装置を関連付ける位置情報を入力する位置情報入力手段と、画像データを生成する画像データ生成手段と、マルチ表示システムを構成する前記画像投影装置の台数にしたがって前記画像データ生成手段により生成された画像データを所定の数に分割する、あるいは所定の画面サイズに拡大縮小する画像データ加工手段と、前記画像データ加工手段より供給される分割、あるいは拡大縮小された複数の画像データのうち、前記位置情報入力手段により関連付けられた各画像投影装置に対応する画像データを送信する画像データ送信手段と、前記画像投影装置は、前記ネットワークより画像データを受信する画像データ受信手段と、前記画像データ受信手段により受信された画像データを映像信号として投射する映像投射手段とを有することを特徴とする画像伝送マルチ表示システムとしたものであり、データ送信装置によって生成された画像データを、ユーザーによって入力された情報に対応する位置の画像データを対応するデータ投影装置にのみへ送信されるため、マルチ表示システムを構築することが可能となるという作用を有する。
【発明の効果】
【００２１】
以上のように本発明は、重くて扱いにくいＲＧＢケーブルや高価な映像拡大機を使うことなく、容易にマルチ表示システムを構築できるという優れた効果が得られる。
【発明を実施するための最良の形態】
【００２２】
以下、本発明の実施の形態について、図１から図１０を用いて説明する。
【００２３】
（実施の形態１）
図１は本発明の実施の形態１に係る画像伝送マルチ表示システムの外観構成を示す図である。
【００２４】
このマルチ表示システムは、ＰＣ１００からＰＣ１００の表示装置に表示されている画面データを複数のプロジェクタ２００ａ、２００ｂ、２００ｃ、２００ｄへ伝送し、
各プロジェクタ２００は受信した画像データをスクリーン１０に投射しマルチ表示を行うシステムであり、ＰＣ１００は、無線ＬＡＮチップを内蔵しており、これにより無線ＬＡＮを介して各プロジェクタ２００に画像データを送信する。
【００２５】
図２は、本実施の形態１に係る画像伝送マルチ表示システムを構成するＰＣ１００及びプロジェクタ２００の機能的な構成を示すブロック図である。
【００２６】
図２に示すように、ＰＣ１００は、表示映像生成手段１０１、画像データ生成手段１０２、画像データ加工手段１０３、画像データ送信手段１０４、あて先検索手段１０５、位置情報入力手段１０６、表示出力手段１０７、画像処理手段１０８を機能的な構成要素として備える。
【００２７】
プロジェクタ２００は、画像データ受信手段２０１、映像生成手段２０２、映像投影手段２０３、識別情報作成手段２０４、識別情報保持手段２０５、を機能的な構成要素として備える。
【００２８】
表示映像生成手段１０１は、ディスプレイに処理の結果等を表示させるための映像信号を出力する。
【００２９】
表示出力手段１０７は、表示映像生成手段１０１によって出力された映像信号をディスプレイに表示させる出力信号を出力する。
【００３０】
位置情報入力手段１０６は、複数のプロジェクタ２００によって構成されるマルチ表示システムにおいて、それらのプロジェクタの配置した位置関係をユーザーに入力させる。
【００３１】
画像データ生成手段１０２は、表示映像生成手段１０１が出力している映像信号をキャプチャし画像データを作成する。
【００３２】
画像データ加工手段１０３は、画像データ生成手段１０２が生成した画像データを、位置情報入力手段１０６によってユーザーが入力したプロジェクタ２００の数にしたがって分割を行い、その中の一部分の画像データを取り出し、かつ、ユーザーが入力した位置情報を関連付ける。そして、必要に応じて送信先のプロジェクタ２００の解像度に合わせて、縮小、または拡大の処理を行い画像データの加工を行う。例えば、プロジェクタ２００ａの解像度がＸＧＡ（横が１０２４、縦が７６８ピクセル）であり、ＰＣ１００の解像度が同じくＸＧＡ（１０２４×７６８ピクセル）の場合では、横２分割、縦２分割した画像データをプロジェクタ２００ａで投射するため、縦２倍、横２倍の大きさへ拡大する必要がある。
【００３３】
あて先検索手段１０５は、接続しているプロジェクタ２００より識別情報を受信する。
【００３４】
画像データ送信手段１０４は、画像データ加工手段１０３によって分割され、縮小または拡大の加工処理をされた画像データをあて先検索手段１０６で受信した識別信号と一致した位置情報を持っている送信先のプロジェクタ２００に対して送信を行う。
【００３５】
画像データ受信手段２０１は、ネットワークを介してＰＣ１００の画像データ送信手段１０４によって送信された画像データを受信する。
【００３６】
映像生成手段２０２は、画像データ受信手段２０１によって受信された画像データを表示するための映像信号へ変換する。
【００３７】
映像投影手段２０３は、映像生成手段により変換された映像信号を投影する。
【００３８】
識別信号生成手段２０４は、製造番号等から他のプロジェクタ２００とは異なるユニークな識別信号を生成する。
【００３９】
識別情報保持手段２０５は、識別情報生成手段２０４により生成された識別情報を保持し、ＰＣ１００のあて先検索手段１０６に自分の位置情報を知らせる。
【００４０】
なお、識別信号生成手段２０４で生成される識別信号は、ユーザーから入力により識別情報を生成しても構わない。
【００４１】
なお、画像データ加工手段１０３の中の画像処理手段１０８は実施の形態２で後述するが、複数のプロジェクタ２００により投射された映像の重複領域に対応する部分の色彩や輝度を下げる等の補正を行うブレンディング処理を行う。
【００４２】
位置情報入力手段１０６について、図３と図４を用いて説明を行う。
【００４３】
図３は、プロジェクタ２００がそれぞれ自分の持つ識別信号を投射している際の外観構成を示す図である。
【００４４】
プロジェクタ２００ａ、２００ｂ、２００ｃ、２００ｄは、それぞれスクリーン１０内の投射領域２１０ａ、２１０ｂ、２１０ｃ、２１０ｄへ識別情報２１１ａ、２１１ｂ、２１１ｃ、２１１ｄの投射し表示を行っている。
【００４５】
プロジェクタ２００ａの持つ識別信号２１１ａは「Ｐｊ１」である。以下同様に、プロジェクタ２００ｂ、２００ｃ、２００ｄの識別信号２１１ｂ、２１１ｃ、２１１ｄはそれぞれ「Ｐｊ２」「Ｐｊ３」「Ｐｊ４」である。これらの識別信号２１１は、図２における識別情報生成手段２０４により生成され、識別情報保持手段２０５によって保持されている。
【００４６】
図４は位置情報入力手段１０６を実行する際に表示されるＰＣ１００のグラフィカルユーザーインターフェースを示す図である。
【００４７】
アプリケーション５００の中にスクリーンイメージ５０２とインデックス２２１を含むプロジェクタ２００からの投射イメージ２２０が表示されている。
【００４８】
ユーザーはマウス等のポインティングデバイスを用いてカーソル５０１を操作し、スクリーンイメージ５０２の中に、投射イメージ２２０を移動させ、ユーザーの希望するマルチ表示システムのプロジェクタ表示位置構成イメージを作成する。このとき、表示されているインデックス２２１は、プロジェクタ２００のもっている識別情報２１１に対応する。
【００４９】
プロジェクタ２００が図３のように配置されている場合では、インデックス２２１ａ「Ｐｊ１」はプロジェクタ２００ａの持つ識別情報２１１ａに、インデックス２２１ｂ「Ｐｊ２」はプロジェクタ２００ｂの持つ識別情報２１１ｂに、インデックス２２１ｃ「Ｐｊ３」はプロジェクタ２００ｃの持つ識別情報２１１ｃに、インデックス２２１ｄ「Ｐｊ４」はプロジェクタ２００ｄの持つ識別情報２１１ｄにそれぞれ対応することになる。
【００５０】
このアプリケーション５００のスクリーンイメージ５０２の上に構成されたプロジェクタ構成に対応して画像データ加工手段１０３は画像データの切り分け、取り出しを行い、インデックス２２１と取り出した画像データを関連付ける。
【００５１】
画像データ送信手段１０４では、この画像データを対応する識別情報２１１を持つプロジェクタ２００へ送信を行う。
【００５２】
ここでは、プロジェクタ２００を縦に２台、横に２台の合計４台で構成されるマルチ表示システムを構築するときの位置情報入力手段１０６における入力を図５に示す。
【００５３】
図５はプロジェクタ２００を縦に２台、横に２台の４台で構成されるマルチ表示システムを構成するにあたり、位置情報入力手段１０６における、ＰＣ１００上のグラフィカルユーザーインターフェースの外観図である。
【００５４】
スクリーンイメージ５０２上に、ユーザーよりこの図のような入力があった場合、画像データ加工手段１０３と画像データ送信手段１０４では以下の処理を行う。
【００５５】
画像データ加工手段１０３では、画像データ生成手段１０２で生成された画像データを縦方向に２分割、横方向に２分割し４つの画像データを作成し、それぞれの画像データにインデックス２２１の情報を関連付ける。
【００５６】
画像データ送信手段１０４では、画像データ加工手段１０３によって加工されたそれぞれの画像データを、その画像データに関連付けられた識別情報を持つプロジェクタ２００へ、それぞれ送信する。
【００５７】
この例では、４分割のうち、左上の画像データはインデックス２２１ａ「Ｐｊ１」と関連付けられ、対応する識別信号を持つプロジェクタ２００ａへ送信される。
【００５８】
以下同様に、右上の画像データはインデックス２２１ｂ「Ｐｊ２」と関連付けられ、プロジェクタ２００ｂへ、左下の画像データはインデックス２２１ｃ「Ｐｊ３」と関連付けられ、プロジェクタ２００ｃへ、右下の画像データはインデックス２２１ｄ「Ｐｊ４」と関連付けられ、プロジェクタ２００ｄへ送信される。そして、それぞれのプロジェクタ２００へ送信された画像データは投射され、スクリーン１０上には、マルチ表示が行われる。
【００５９】
実施の形態１によれば、ＰＣ１００によって生成された画像データを、ユーザーによって入力された情報に対応する位置の画像データを対応するプロジェクタ２００のみへ送信され、表示されるため、重くて扱いにくいＲＧＢケーブルや映像拡大機を使うことなく容易にマルチ表示システムを構築することが可能となる。
【００６０】
（実施の形態２）
図６は本発明の実施の形態２に係る画像伝送マルチ表示システムの外観構成を示す図である。
【００６１】
このマルチ表示システムは、ＰＣ１００からＰＣ１００の表示装置に表示されている画面データを複数のプロジェクタ２００ａ、２００ｂ、２００ｃ、２００ｄへ伝送し、各プロジェクタ２００は受信した重複した投射領域を含む画像データをスクリーン１０に投射しマルチ表示を行うシステムであり、ＰＣ１００は、無線ＬＡＮチップを内蔵しており、これにより無線ＬＡＮを介して各プロジェクタ２００に画像データを送信する。
【００６２】
図７は重複した領域を含む領域の投射を行うマルチ表示システムの外観構成を示す図である。
【００６３】
ＰＣ１００から送信された画像データは各プロジェクタ２００からスクリーン１０へ投射される。
【００６４】
この際、投射領域２１０に表示された映像が、重複して投影を行う投射領域２１０ｅ、２１０ｆ、２１０ｇ、２１０ｈ、２１０ｉでは、この領域のみ明るくなりすぎたり、色が濃くなったりするため、見た目が非常に悪くなる。このためブレンディングの処理を行う必要がある。
【００６５】
このブレンディング処理とは、重複して投射を行う投射領域２１０ｅ、２１０ｆ、２１０ｇ、２１０ｈ、２１０ｉで、色彩や輝度を重複して投射を行うプロジェクタ２００の数だけ少なくし、複数台のプロジェクタ２００から投射を行っているときでも、１台のプロジェクタから投射されている投射領域２１０ａ、２１０ｂ、２１０ｃ、２１０ｄと同じに見えるように色彩、輝度を変化させる画像処理を行う処理である。なお、ブレンディング処理は前述したように、実施の形態１で説明した図２のＰＣ１００の画像データ加工手段１０３の中の画像処理手段１０８で実行される。
【００６６】
図８は実施の形態２におけるＰＣ１００とプロジェクタ２００の処理の流れを示すシーケンス図である。
【００６７】
ＳＴ１１１は、映像信号から画像データを生成する画像データ生成ステップである。
【００６８】
ＳＴ１１２は、画像データ生成ステップＳＴ１１１で生成された画像データをユーザーから送信する形式を入力させ送信を行うプロジェクタ２００の台数に合わせた数に分割を行い、ユーザーより入力された位置情報を対応する画像データに関連付けを行い、必要に応じてプロジェクタ２００の解像度に合わせて縮小、または拡大の処理をする画像データ加工ステップである。
【００６９】
ＳＴ１１３は、画像データ加工ステップＳＴ１１２により加工された画像データ内の、投射した際に重複して投射される投射領域２１０ｅ、２１０ｆ、２１０ｇ、２１０ｈ、２１０ｉに対応する部分に、色合い、彩度を重複して投射を行うプロジェクタ２００の数によって薄くする等の補正を行うブレンディング処理を行う画像処理ステップである。
【００７０】
ＳＴ１１４は、画像処理ステップＳＴ１１３でブレンディング処理を行われた画像データを画像データ加工ステップＳＴ１１４で関連付けられた位置情報に対応するプロジェクタ２００へ送信するステップである。
【００７１】
この画像データ作成ステップＳＴ１１１から画像データ送信ステップＳＴ１１５までのステップがＰＣ１００の処理である。
【００７２】
ＳＴ２１１は、ＰＣ１００が送信した画像データを受信する画像データ受信ステップである。
【００７３】
ＳＴ２１２は、画像データ受信ステップＳＴ２１１で受信した画像データから映像信号を生成する映像生成ステップである。
【００７４】
ＳＴ２１３は、映像生成ステップＳＴ２１２により生成された映像信号を投射する映像投射ステップである。
【００７５】
この画像データ受信ステップＳＴ２１１から映像投射ステップＳＴ２１３までのステップがプロジェクタ２００の処理である。
【００７６】
次に、図９と図１０を用いて、縦に２台、横に２台、合計４台のプロジェクタ２００を用いて画像端を重複して投射させて構成するマルチ表示システムを構築する際のユーザーからの位置情報の入力と画像データ加工ステップＳＴ１１２と画像データ送信ステップＳＴ１１４の動作について説明する。
【００７７】
図９は、４台のプロジェクタ２００が、それぞれ自分の持つ識別情報２１１を表示処理の外観図である。
【００７８】
各プロジェクタ２００ａ、２００ｂ、２００ｃ、２００ｄは、それぞれ各投射領域２１０ａ、２１０ｂ、２１０ｃ、２１０ｄに自分の持つ識別情報２１１ａ、２１１ｂ、２１１ｃ、２１１ｄをスクリーン１０に投射している。
【００７９】
プロジェクタ２００ａが投射している投射領域は２１０ａであり、その投射領域２１０ａに投射されている識別情報２１１ａは「Ｐｊ１」である。
【００８０】
同様に、プロジェクタ２００ｂの識別情報２１１ｂは「Ｐｊ２」、プロジェクタ２００ｃの識別情報２１１ｃは「Ｐｊ３」、プロジェクタ２００ｄの識別情報２１１ｄは「Ｐｊ４」である。
【００８１】
図１０はプロジェクタ２００を縦に２台、横に２台の４台で構成されるマルチ表示システムを構成するにあたり、プロジェクタ構成入力後のＰＣ１００のグラフィカルユーザーインターフェースを示す図である。
【００８２】
ＰＣ１００上でアプリケーション５００を立ち上げ、そこにプロジェクタ構成を、マウスカーソル５０１を用いて入力する。
【００８３】
スクリーンイメージ５０２の上に、投射イメージ２２０を配置した。
【００８４】
ユーザーにより入力されたインデックス２２１ａ「Ｐｊ１」の投射イメージ２２０ａ、２２０ｅ、２２０ｈ、２２０ｉは、同じ「Ｐｊ１」の識別情報２１１ａを持つプロジェクタ２００ａの投射領域２１０ａ、２１０ｅ、２１０ｈ、２１０ｉを示す。
【００８５】
ユーザーにより入力されたインデックス２２１ｂ「Ｐｊ２」の投射イメージ２２０ｂ、２２０ｅ、２２０ｆ、２２０ｉは、同じ識別情報２１１ｂ「Ｐｊ２」を持つプロジェクタ２００ｂの投射領域２１０ｂ、２１０ｅ、２１０ｆ、２１０ｉを示す。
【００８６】
ユーザーにより入力されたインデックス２２１ｃ「Ｐｊ３」の投射イメージ２２０ｃ、２２０ｇ、２２０ｈ、２２０ｉは、同じ識別情報２１１ｃ「Ｐｊ３」を持つプロジェクタ２００ｃの投射領域２１０ｃ、２１０ｈ、２１０ｇ、２１０ｉを示す。
【００８７】
ユーザーにより入力されたインデックス２２１ｄ「Ｐｊ４」の投射イメージ２２０ｄ、２２０ｇ、２２０ｆ、２２０ｉは、同じ識別情報２１１ｄ「Ｐｊ４」を持つプロジェクタ２００ｄの投射領域２１０ｄ、２１０ｆ、２１０ｇ、２１０ｉを示す。
【００８８】
図９、図１０の設定の場合、画像データ加工ステップＳＴ１１２では、投射イメージ２２０ａ相当する画像データに対して、まず、画像データの切り出しを行い、この画像データに対応するインデックス２２１ａ「Ｐｊ１」と関連付ける。そして、この投射イメージ２２０ａは他のインデックス２２１ｂ、２２１ｃ、２２１ｄの投射イメージと重複しないため、「ブレンディングなし」の信号を付加する。また、受信先のプロジェクタ２００ａの解像度に合わせて、拡大、縮小の処理を行う。例えば、プロジェクタ２００ａの解像度がＸＧＡ（横が１０２４、縦が７６８ピクセル）であり、ＰＣ１００の解像度が同じくＸＧＡ（１０２４×７６８ピクセル）の場合では、横２分割、縦２分割し、重複して表示する部分を加えた大きさの半分の画像データをプロジェクタ２００ａで投射するため、拡大する必要がある。
【００８９】
投射イメージ２２０ｅ相当する画像データに対して、まず、画像データの切り出しを行い、この画像データに対応するインデックス２２１ａ「Ｐｊ１」、２２１ｂ「Ｐｊ２」と関連付ける。
【００９０】
この領域は重複して投射されるため、対応するインデックス２２１ａ、２２１ｂは複数となる。そして、この投射イメージ２２０ｅは２つの投射イメージと重複するため、「ブレンディング２」の信号を付加する。また、受信先のプロジェクタ２００ａの解像度に合わせて、拡大、縮小の処理を行う。
【００９１】
他の投射イメージ２２０ｂ、２２０ｃ、２２０ｄ、２２０ｆ、２２０ｇ、２２０ｈ、２２０ｉでも、それぞれ同様の処理がなされる。
【００９２】
次に画像処理ステップＳＴ１１３では、画像データ加工ステップＳＴ１１２により付加されたブレンディング情報に対応した、ブレンディング処理を行う。
【００９３】
この例では、「ブレンディングなし」の情報は付加されている投射イメージ２２０ａ、２２０ｂ、２２０ｃ、２２０ｄに対応する画像データへはブレンディング処理は行わない。
【００９４】
「ブレンディング２」の情報は付加されている投射イメージ２２０ｅ、２２０ｆ、２２０ｇ、２２０ｈに対応する画像データへは、２台のプロジェクタ２００から重複して投射されるので、輝度、色彩を２分の１にする画像処理を行う。
【００９５】
「ブレンディング４」の情報は付加されている投射イメージ２２０ｉに対応する画像データへは、４台のプロジェクタ２００から重複して投射されるので、輝度、色彩を４分の１にする画像処理を行う。
【００９６】
画像データ送信ステップＳＴ１１４では、各画像データに関連付けられているインデックス２２１に対応する識別情報２１１を持つプロジェクタ２００へ対して送信を行う。この例では、投射領域２１０ａに相当する画像データをプロジェクタ２００ａへ、投射領域２１０ｂに相当する画像データをプロジェクタ２００ｂへ、投射領域２１０ｃに相当する画像データをプロジェクタ２００ｃへ、投射領域２１０ｄに相当する画像データをプロジェクタ２００ｄへ、投射領域２１０ｅに相当する２台分のブレンディング処理のされた画像データをプロジェクタ２００ａ、２００ｂへ、投射領域２１０ｆに相当する２台分のブレンディング処理のされた画像データをプロジェクタ２００ｂ、２００ｄへ、投射位置２１０ｇに相当する２台分のブレンディング処理のされた画像データをプロジェクタ２００ｃ、２００ｄへ、投射領域２１０ｈに相当する２台分のブレンディング処理のされた画像データをプロジェクタ２００ａ、２００ｄへ、投射領域２１０ｉに相当する４台分のブレンディング処理のされた画像データをプロジェクタ２００ａ、２００ｂ、２００ｃ、２００ｄへそれぞれ送信行う。
【００９７】
実施の形態２によれば、ＰＣ１００によって生成された画像データに画像処理ステップＳＴ１１３を加えることで、重複して投射を行うマルチ表示において、高価な映像拡大機を使用しなくても継ぎ目のない大画面映像を構築するマルチ表示システムを容易に構築することができる。
【産業上の利用可能性】
【００９８】
本発明にかかる画像伝送マルチ表示システムは、
重くて扱いにくいＲＧＢケーブルや高価な映像拡大機を使うことなく、容易にマルチ表示システムを構築できるという効果を有し、
大ホールで行われる会議や研修会、また、イベント会場での大画面システム等として有用である。
【図面の簡単な説明】
【００９９】
【図１】画像伝送マルチ表示システムの外観構成図
【図２】画像伝送マルチ表示システムの機能構成を示すブロック図
【図３】位置情報入力時の外観構成図
【図４】ロジェクタ構成入力時のグラフィカルユーザーインターフェースの外観図
【図５】４台で構成されるマルチ表示システムを構成するグラフィカルユーザーインターフェースの外観図
【図６】画像伝送マルチ表示システムの外観構成図
【図７】重複した領域を含む領域の投射を行うマルチ表示システムの外観構成図
【図８】処理の流れのシーケンス図
【図９】４台のプロジェクタのインデックス表示処理の外観図
【図１０】４台で構成されるマルチ表示システムを構築するグラフィカルユーザーインターフェースの外観図
【図１１】従来の画像伝送マルチ表示システムの構成ブロック図
【符号の説明】
【０１００】
１０  スクリーン
１００  ＰＣ
２００  プロジェクタ
２１０  投射領域
２１１  識別情報
２２０  投射イメージ
２２１  インデックス
１００１  データ送信装置
１００２、１００３  データ受信装置
１００４  ネットワーク
【図１】
2006284990.tif 000003
【図２】
2006284990.tif 000004
【図３】
2006284990.tif 000005
【図４】
2006284990.tif 000006
【図５】
2006284990.tif 000007
【図６】
2006284990.tif 000008
【図７】
2006284990.tif 000009
【図８】
2006284990.tif 000010
【図９】
2006284990.tif 000011
【図１０】
2006284990.tif 000012
【図１１】
2006284990.tif 000013